【手続補正書】
【提出日】平成25年10月24日(2013.10.24)
【手続補正１】
【補正対象書類名】明細書
【補正対象項目名】０００７
【補正方法】変更
【補正の内容】
【０００７】
上記目的を達成するため、請求項１に記載の発明は、撮像手段と、発光手段と、前記発光手段による発光により明るくされた時の画像である第１の画像と当該第１の画像よりも明るさの低い第２の画像とを前記撮像手段に撮像するように制御する撮像制御手段と、前記第１の画像及び前記第２の画像の撮像の際に設定されたホワイトバランスを調整するための各色成分のゲイン値を夫々取得する第１の取得手段と、前記撮像手段により撮像された画像を複数の領域に分割する分割手段と、前記第１の画像と前記第２の画像とについて、前記複数の領域の輝度値を夫々取得する第２の取得手段と、前記複数の領域の各々について、前記第２の取得手段により算出された前記第１の画像の領域の輝度値と当該第１の画像の領域に対応する前記第２の画像の領域の輝度値との相対値を算出する算出手段と、前記算出手段により算出された複数の相対値の中から、所定数の相対値を選択する選択手段と、前記第１の取得手段により取得された前記第１の画像及び前記第２の画像の各色成分のゲイン値と前記選択手段により選択された所定数の相対値とに基づいて、前記第１の画像の少なくとも一部の領域の各色成分のゲイン値を補正する補正手段とを備えた撮像装置であることを特徴とする。
また、上記目的を達成するために、請求項２に記載の発明は、前記補正手段は、前記第１の画像のうち、前記相対値が所定値以上又は所定値以下の領域の各色成分のゲイン値を補正することを特徴とする。
また、上記目的を達成するために、請求項３に記載の発明は、前記選択手段は、前記算出手段により夫々算出された相対値が所定値以上又は所定値以下である前記第１の画像の領域を特定する特定手段を有し、前記特定手段により特定された所定値以上又は所定値以下の所定数の相対値を選択することを特徴とする。
また、上記目的を達成するために、請求項４に記載の発明は、前記算出手段は、前記第１の画像の領域の輝度値を当該第１の画像の領域に対応する前記第２の画像の領域の輝度値で除した値を前記相対値として算出し、前記特定手段は、前記算出手段により夫々算出された相対値の中から、値の高い順又は値の低い順に所定数の相対値を特定することを特徴とする。
【手続補正２】
【補正対象書類名】明細書
【補正対象項目名】０００８
【補正方法】変更
【補正の内容】
【０００８】
また、上記目的を達成するために、請求項５に記載の発明は、前記第１の取得手段により取得された画像の各色成分を他の色空間における少なくとも輝度情報を含む画素のパラメータの組に変換する変換手段をさらに備え、前記補正手段は、さらに、前記変換手段により変換された画素のパラメータの組に基づいて、前記各色成分のゲイン値を補正する撮像装置であることを特徴とする。
【手続補正３】
【補正対象書類名】明細書
【補正対象項目名】０００９
【補正方法】変更
【補正の内容】
【０００９】
また、上記目的を達成するために、請求項６に記載の発明は、発光により明るくされた時の画像である第１の画像と当該第１の画像よりも明るさの低い第２の画像とを撮像手段に撮像させるよう制御する撮像制御ステップと、前記第１の画像及び前記第２の画像の撮像の際に設定されたホワイトバランスを調整するための各色成分のゲイン値を夫々取得する第１の取得ステップと、前記第１の取得ステップの処理により取得された画像を複数の領域に分割する分割ステップと、前記第１の画像と前記第２の画像とについて、前記複数の領域の輝度値を夫々取得する第２の取得ステップと、前記複数の領域の各々について、前記第２の取得ステップにて取得された前記第１の画像の領域の輝度値と当該第１の画像の領域に対応する前記第２の画像の領域の輝度値との相対値を算出する算出ステップと、前記算出ステップにて算出された複数の相対値の中から、所定数の相対値を選択する選択ステップと、前記第１の取得ステップにより取得された前記第１の画像及び前記第２の画像の各色成分のゲイン値と前記選択ステップにて選択された所定数の相対値とに基づいて、前記第１の画像の少なくとも一部の領域の各色成分のゲイン値を補正する補正ステップとを含むホワイトバランス調整方法であることを特徴とする。
【手続補正４】
【補正対象書類名】明細書
【補正対象項目名】００１０
【補正方法】変更
【補正の内容】
【００１０】
また、上記目的を達成するために、請求項７に記載の発明は、コンピュータを、発光により明るくされた時の画像である第１の画像と当該第１の画像よりも明るさの低い第２の画像とを撮像手段に撮像させる撮像制御手段、前記第１の画像及び前記第２の画像のホワイトバランスを調整するための各色成分のゲイン値を夫々取得する第１の取得手段、前記撮像手段により撮像された画像を複数の領域に分割する分割手段、前記第１の画像と前記第２の画像とについて、前記複数の領域の輝度値を夫々取得する第２の取得手段、前記複数の領域の各々について、前記第２の取得手段により取得された前記第１の画像の領域の輝度値と当該第１の画像の領域に対応する前記第２の画像の領域の輝度値との相対値を夫々算出する算出手段、前記算出手段により算出された複数の相対値の中から、所定数の相対値を選択する選択手段、前記第１の取得手段により取得された前記第１の画像及び前記第２の画像の各色成分のゲイン値と前記選択手段により選択された所定数の相対値とに基づいて、前記第１の画像の少なくとも一部の領域の各色成分のゲイン値を補正する補正手段として機能させるホワイトバランス調整プログラムであることを特徴とする。
【手続補正５】
【補正対象書類名】特許請求の範囲
【補正対象項目名】全文
【補正方法】変更
【補正の内容】
【特許請求の範囲】
【請求項１】
撮像手段と、
発光手段と、
前記発光手段による発光により明るくされた時の画像である第１の画像と当該第１の画像よりも明るさの低い第２の画像とを前記撮像手段に撮像するように制御する撮像制御手段と、
前記第１の画像及び前記第２の画像の撮像の際に設定されたホワイトバランスを調整するための各色成分のゲイン値を夫々取得する第１の取得手段と、
前記撮像手段により撮像された画像を複数の領域に分割する分割手段と、
前記第１の画像と前記第２の画像とについて、前記複数の領域の輝度値を夫々取得する第２の取得手段と、
前記複数の領域の各々について、前記第２の取得手段により算出された前記第１の画像の領域の輝度値と当該第１の画像の領域に対応する前記第２の画像の領域の輝度値との相対値を算出する算出手段と、
前記算出手段により算出された複数の相対値の中から、所定数の相対値を選択する選択手段と、
前記第１の取得手段により取得された前記第１の画像及び前記第２の画像の各色成分のゲイン値と前記選択手段により選択された所定数の相対値とに基づいて、前記第１の画像の少なくとも一部の領域の各色成分のゲイン値を補正する補正手段と
を備えたことを特徴とする撮像装置。
【請求項２】
前記補正手段は、前記第１の画像のうち、前記相対値が所定値以上又は所定値以下の領域の各色成分のゲイン値を補正することを特徴とする請求項１に記載の撮像装置。
【請求項３】
前記選択手段は、
前記算出手段により夫々算出された相対値が所定値以上又は所定値以下である前記第１の画像の領域を特定する特定手段を有し、
前記特定手段により特定された所定値以上又は所定値以下の所定数の相対値を選択することを特徴とする請求項１又は２に記載の撮像装置。
【請求項４】
前記算出手段は、前記第１の画像の領域の輝度値を当該第１の画像の領域に対応する前記第２の画像の領域の輝度値で除した値を前記相対値として算出し、
前記特定手段は、前記算出手段により夫々算出された相対値の中から、値の高い順又は値の低い順に所定数の相対値を特定することを特徴とする請求項３に記載の撮像装置。
【請求項５】
前記第１の取得手段により取得された画像の各色成分を他の色空間における少なくとも輝度情報を含む画素のパラメータの組に変換する変換手段をさらに備え、
前記補正手段は、さらに、前記変換手段により変換された画素のパラメータの組に基づいて、前記各色成分のゲイン値を補正することを特徴とする請求項１から４の何れか１項に記載の撮像装置。
【請求項６】
発光により明るくされた時の画像である第１の画像と当該第１の画像よりも明るさの低い第２の画像とを撮像手段に撮像させるよう制御する撮像制御ステップと、
前記第１の画像及び前記第２の画像の撮像の際に設定されたホワイトバランスを調整するための各色成分のゲイン値を夫々取得する第１の取得ステップと、
前記第１の取得ステップの処理により取得された画像を複数の領域に分割する分割ステップと、
前記第１の画像と前記第２の画像とについて、前記複数の領域の輝度値を夫々取得する第２の取得ステップと、
前記複数の領域の各々について、前記第２の取得ステップにて取得された前記第１の画像の領域の輝度値と当該第１の画像の領域に対応する前記第２の画像の領域の輝度値との相対値を算出する算出ステップと、
前記算出ステップにて算出された複数の相対値の中から、所定数の相対値を選択する選択ステップと、
前記第１の取得ステップにより取得された前記第１の画像及び前記第２の画像の各色成分のゲイン値と前記選択ステップにて選択された所定数の相対値とに基づいて、前記第１の画像の少なくとも一部の領域の各色成分のゲイン値を補正する補正ステップと
を含むことを特徴とするホワイトバランス調整方法。
【請求項７】
コンピュータを、
発光により明るくされた時の画像である第１の画像と当該第１の画像よりも明るさの低い第２の画像とを撮像手段に撮像させる撮像制御手段、
前記第１の画像及び前記第２の画像のホワイトバランスを調整するための各色成分のゲイン値を夫々取得する第１の取得手段、
前記撮像手段により撮像された画像を複数の領域に分割する分割手段、
前記第１の画像と前記第２の画像とについて、前記複数の領域の輝度値を夫々取得する第２の取得手段、
前記複数の領域の各々について、前記第２の取得手段により取得された前記第１の画像の領域の輝度値と当該第１の画像の領域に対応する前記第２の画像の領域の輝度値との相対値を夫々算出する算出手段、
前記算出手段により算出された複数の相対値の中から、所定数の相対値を選択する選択手段、
前記第１の取得手段により取得された前記第１の画像及び前記第２の画像の各色成分のゲイン値と前記選択手段により選択された所定数の相対値とに基づいて、前記第１の画像の少なくとも一部の領域の各色成分のゲイン値を補正する補正手段
として機能させることを特徴とするホワイトバランス調整プログラム。